(57)【特許請求の範囲】
【請求項１】
壁面等に据え付けられ、複数の係止片を有する据付板と、前記係止片に係合する引掛部を有する空気調和機本体とを備えた空気調和機において、
前記係止片の少なくとも１個は抜け防止機能を有する係止片とし、前記抜け防止機能を有する係止片と係合する前記空気調和機本体の引掛部は、前記空調機本体の背面部分に前記抜け防止機能を有する係止片の先端が引掛かる引掛形状部を有すると共に、天面に前記引掛形状部を形成するために必要な開口部と下面に前記抜け防止機能を有する係止片との係合に必要な開口部とを有し、他の空気調和機本体の引掛部には前記係止片との係合に必要な開口部以外には開口部を設けないことを特徴とする空気調和機。
【請求項２】
前記抜け防止機能を有する係止片は、先端が前記引掛形状部に引掛かるように曲げられていることを特徴とする請求項１記載の空気調和機。
【請求項３】
前記抜け防止機能を有する係止片は、くの字に曲げられていることを特徴とする請求項２記載の空気調和機。
【請求項４】
前記引掛形状部は、前記空調機本体の背面部分に設けた段差により構成されたことを特徴とする請求項１から請求項３いずれかに記載の空気調和機。
【請求項５】
前記抜け防止機能を有する係止片を前記空調機本体の背面中央部付近に配置し、前記抜け防止機能を有する係止片の左右に位置する他の係止片が空気調和機本体の引掛部と係合し、中央部付近に配置された前記抜け防止機能を有する係止片は空気調和機本体の引掛部を支持せず応力のかからない構成としたことを特徴とする請求項１から請求項４のいずれかに記載の空気調和機。
【請求項６】
前記抜け防止機能を有する係止片の左右に位置する係止片と係合する空気調和機本体の引掛部の何れかが破損した場合、前記中央部に配置された抜け防止機能を有する係止片が前記空気調和機本体の引掛部を支え、前記空気調和機本体が重量の重い側に傾いて保持されることを特徴とする請求項５記載の空気調和機。
【請求項７】
壁面等に据え付けられ、複数の係止片を有する据付板と、前記係止片に係合する引掛部を有する機器本体とを備え、
前記係止片の少なくとも１個は抜け防止機能を有する係止片とし、前記抜け防止機能を有する係止片と係合する前記機器本体の引掛部は、前記本体の背面部分に前記抜け防止機能を有する係止片の先端が引掛かる引掛形状部を有すると共に、天面に前記引掛形状部を形成するために必要な開口部と下面に前記係止片との係合に必要な開口部とを有し、他の機器本体の引掛部には前記係止片との係合に必要な開口部以外には開口部を設けないことを特徴とする機器の壁面への据え付け構造。
【発明の詳細な説明】
【０００１】
【発明の属する技術分野】
この発明は、主に空気調和機の室内ユニットに関するもので、詳しくは室内ユニットの据付板への取付け構造を改善して、熱交換器洗浄時に本体背面に洗浄剤が流出しないように、さらに室内ユニットの据付板への取付け部の強度を向上させたものである。但し、この発明は空気調和機に限らず、壁面に据え付けられるその他の機器も含む。
【０００２】
【従来の技術】
図６は従来の空気調和機を背面から見た据付の様子を示す斜視図である。図６において、１は空気調和機本体、２は部屋の壁面に取り付けられた据付板、７は空気調和機本体１の背面の上部両側に設けた引掛部で、空気調和機本体１の背面のプラスチック成型品と一体成型されている。８はこの引掛部７と係合する据付板２の主係止片である。９は空気調和機本体１の背面の上部中央に設けた引掛部で、左右両側の引掛部７と同様、空気調和機本体１の背面のプラスチック成型品と一体成型されている。１０はこの中央の引掛部９と係合する据付板２の補助係止片で、左右両側の引掛部７により空気調和機本体１が係合する主係止片８よりも低い位置に設けられている。
【０００３】
図７は従来の空気調和機本体の据付状態の係止部（両側）の部分断面図、図８は従来の空気調和機本体の据付状態の係止部（中央）の部分断面図である。図７において、１１は空気調和機本体１の背面のプラスチック成型品に設けられたリブで、このリブ１１は据付の配管接続作業時、引掛部７を支点として空気調和機本体を持ち上げるため、引掛部７が主係止片８よりはずれる恐れがあるため、両側主係止部に抜け防止機構となるものである。
【０００４】
図９は従来の空気調和機本体の本体筐体を示す上面図（ａ）、正面図（ｂ）である。図９に示すように、配管接続作業時に空気調和機本体が据付板２から外れることを防ぐのに、左右の引掛部７に抜け防止機構であるリブ１１を設ける必要がある。空気調和機本体１の背面のプラスチック成型品にリブ１１を形成するために、プラスチック成型金型の構成上、筐体の背面風路側及び天面側に開口部を有する。また、中央引掛部９も相似設計のため左右の引掛部７同様、風路側及び、天面側に開口部を有する。
【０００５】
次に動作について説明する。部屋の壁面に取り付けされた据付板２の上部両側の主係止片８に空気調和機本体１の背面に上部両側に設けた引掛部７を係止させて据え付ける。この時、空気調和機本体１の背面の上部中央における引掛部９は、補助係止片１０が据付板２の係止点より低い位置に設けられているので、図８に示すように応力がかからない状態となっている。このため、空気調和機本体１の背面上部に設けた引掛部７が油汚れの付着により破損して落下しても、中央の引掛部９が据付板２の補助係止片１０に係合するので空気調和機本体１がそれ以上落下することはない。この時、据付板２に設けた補助係止片１０は、主係止片８よりも低い位置に設けられているので、空気調和機本体１の重量の重い方側に傾いて保持される。
【０００６】
また、据付の配管接続作業時、引掛部７を支点として空気調和機本体１を持ち上げるため、引掛部７が主係止片８よりはずれる恐れがあるため、前述のように両側主係止部に抜け防止機構であるリブ１１を設けている。
【０００７】
【発明が解決しようとする課題】
従来の空気調和機は、以上のように構成されているので、空気調和機本体の引掛部７に対向する風路側筐体と主係止片８の天面側に開口部を設けており、熱交換器の洗浄剤等を使用した場合、風路側筐体の開口部より洗浄剤が空気調和機本体の背面側に直接吹き付けられ、壁面等を汚す恐れがあるという問題点があった。
【０００８】
また、係止部天面側に開口部を設けている為、空気調和機本体１と引掛部７の接合面積が小さく、強度的に弱いという問題点があった。
【０００９】
この発明は、上記のような問題点を解消するためになされたもので、配管接続作業時に空気調和機本体が据付板から外れることを防ぐ抜け防止機能を失うことなく、筐体背面に開口部を設けないようにして、熱交換器洗浄剤の漏れによる部屋の壁面の汚れを防止する空気調和機を提供することを目的とする。
【００１０】
また、抜け防止機能を有する係止部以外の天面側に開口部を設けないようにして、空気調和機本体と引掛部の結合強度を改善した空気調和機を提供することを目的とする。
【００１１】
また、上記と同様の機能を有する機器の壁面への据え付け構造を提供することを目的とする。
【００１２】
【課題を解決するための手段】
この発明に係る空気調和機は、壁面等に据え付けられ、係止片を有する据付板と、係止片に係合する引掛部を有する空気調和機本体とを備え、係止片は通常は引掛部と係合せずに応力のかからないものを含み、係止片と係合する引掛部が破損した場合に、通常は引掛部と係合しない係止片が空気調和機本体を支えて落下を抑制する空気調和機において、据付板に複数の係止片を設け、その係止片の中の１個以上は抜け防止機能を有する係止片とし、抜け防止機能を有する係止片と係合する空気調和機本体の引掛部は、本体筐体背面部分に係止片の先端が引掛かる引掛形状部を有すると共に、天面に引掛形状部を形成するために必要な開口部と下面に係止片との係合に必要な開口部とを有し、他の空気調和機本体の引掛部には係止片との係合に必要な開口部以外には開口部を設けないことを特徴とする。
【００１３】
また、この発明に係る空気調和機は、抜け防止機能を有する係止片は、先端が本体筐体に設けられた引掛形状部に引掛かるように曲げられていることを特徴とする。
【００１４】
また、この発明に係る空気調和機は、抜け防止機能を有する係止片は、先端がくの字に曲げられていることを特徴とする。
【００１５】
また、この発明に係る空気調和機は、本体筐体に設けられた引掛形状部は、段差により構成されたことを特徴とする。
【００１６】
また、この発明に係る空気調和機は、据付板に３個以上の係止片を設け、その係止片の中の１個は抜け防止機能を有する係止片とし本体筐体の中央部付近に配置し、左右の係止片が空気調和機本体の引掛部と係合し、中央部に配置された抜け防止機能を有する係止片は通常は空気調和機本体の引掛部と係合せずに応力のかからない構成としたことを特徴とする。
【００１７】
また、この発明に係る空気調和機は、左右の何れかの空気調和機本体の引掛部が破損した場合、中央部に配置された通常は空気調和機本体の引掛部と係合しない係止片が空気調和機本体を支え、空気調和機本体は重量が重い側に傾いて保持されることを特徴とする。
【００１８】
この発明に係る機器の壁面への据え付け構造は、壁面等に据え付けられ、係止片を有する据付板と、係止片に係合する引掛部を有する機器本体とを備え、係止片は通常は引掛部と係合せずに応力のかからないものを含み、係止片と係合する引掛部が破損した場合に、通常は引掛部と係合しない係止片が機器本体を支えて落下を抑制する機器の壁面への据え付け構造において、据付板に複数の係止片を設け、その係止片の中の１個以上は抜け防止機能を有する係止片とし、抜け防止機能を有する係止片と係合する機器本体の引掛部は、本体筐体背面部分に係止片の先端が引掛かる引掛形状部を有すると共に、天面に引掛形状部を形成するために必要な開口部と下面に係止片との係合に必要な開口部とを有し、他の機器本体の引掛部には係止片との係合に必要な開口部以外には開口部を設けないことを特徴とする。
【００１９】
また、この発明に係る機器の壁面への据え付け構造は、抜け防止機能を有する係止片は、先端が本体筐体に設けられた引掛形状部に引掛かるように曲げられていることを特徴とする。
【００２０】
また、この発明に係る機器の壁面への据え付け構造は、抜け防止機能を有する係止片は、先端がくの字に曲げられていることを特徴とする。
【００２１】
また、この発明に係る機器の壁面への据え付け構造は、本体筐体に設けられた引掛形状部は、段差により構成されたことを特徴とする。
【００２２】
また、この発明に係る機器の壁面への据え付け構造は、据付板に３個以上の係止片を設け、その係止片の中の１個は抜け防止機能を有する係止片とし本体筐体の中央部付近に配置し、左右の係止片が機器本体の引掛部と係合し、中央部に配置された前記抜け防止機能を有する係止片は通常は機器本体の引掛部と係合せずに応力のかからない構成としたことを特徴とする。
【００２３】
また、この発明に係る機器の壁面への据え付け構造は、左右の何れかの機器本体の引掛部が破損した場合、中央部に配置された通常は機器本体の引掛部と係合しない係止片が機器本体を支え、機器本体は重量が重い側に傾いて保持されることを特徴とする。
【００２４】
【発明の実施の形態】
以下、この発明の実施の形態を図に基づいて説明する。
実施の形態１．
図１乃至５は実施の形態１を示す図で、図１は空気調和機を背面から見た据付の様子を示す斜視図、図２は空気調和機本体の据付状態の係止部（両側）の部分断面図、図３は空気調和機本体の据付状態の係止部（中央）の部分断面図、図４は本体筐体の上面図（ａ）と正面図（ｂ）、図５は図１に示す空気調和機本体の両側の係止部が破損した状態を示す説明図である。
【００２５】
図１において、１は空気調和機本体、２は壁面に取り付けられた据付板、３は空気調和機本体１の背面の上部両側に設けた引掛部で、空気調和機本体１の背面のプラスチック成型品と一体成型されている。４はこの引掛部３と係止する据付板２の主係止片である。５は空気調和機本体１の背面の上部中央に設けた抜け防止部で、左右両側の引掛部３と同様、空気調和機本体１の背面のプラスチック成型品と一体成型されている。６はこの中央の抜け防止部５と対向する据付板２の補助係止片で、左右両側の引掛部３により空気調和機本体１が係止する主係止片４よりも低い位置に設けられている。
【００２６】
図２は空気調和機本体の据付状態における左右両側の引掛部３の係合状態を示しているが、主係止片４により引掛部３の下端部が支持されている。主係止片４は抜け防止機能を有さないものである。そのため、引掛部３には抜け防止のための部材を設ける必要がないので、開口部も設けられていない。筐体に開口部がないので、熱交換器の洗浄剤が壁面がわに漏れる恐れがない。また、引掛部３の天面に開口部がないので、空気調和機本体１と引掛部３との接合面積が確保でき強度が上がる。
【００２７】
図３は中央の抜け防止部５の係合状態を示しているが、補助係止片６が左右両側の主係止片４よりも低い位置に設けられているので、抜け防止部５と補助係止片６は係合しない。即ち、補助係止片６には応力はかからない。補助係止片６の先端をくの字に曲げて抜け防止形状を形成しており、抜け防止部５は補助係止片６の先端が引掛かるように段差１２を設けてあるため、配管据付作業時、引掛部３を支点として空気調和機本体１を持ち上げることによる、引掛部３の外れを防ぐことを可能としている。抜け防止部５の筐体側に段差１２を設けるために、プラスチック成型上抜け防止部５の天面に開口部を設ける必要がある。
【００２８】
従って、図４に示すように本体筐体の風路側には開口部はなく、抜け防止部５の天面側にのみ開口部が設けられている。中央部は抜け防止機構が設けられると共に、また、通常は補助係止片６には応力はかからない構成となっているため、引掛部３が油汚れの付着等により破損して落下しても、補助係止片６で空気調和機本体１の重量を支え、空気調和機本体１は重い方側に傾いて保持される。
【００２９】
次に動作について説明する。壁面に取り付けられた据付板２の上部両側の主係止片４に空気調和機本体１の背面に上部両側に設けた引掛部３を係止させて据え付ける。この時、空気調和機本体１の背面の上部中央に設けた抜け防止部５は、補助係止片６が据付板２の係止点より低い位置に設けられているので、図３に示すように応力がかからない状態となっている。
【００３０】
このため、空気調和機本体１の背面上部に設けた引掛部３が油汚れの付着によりクレージングを起こして破損して落下しても、図５に示すように中央の抜け防止部５が据付板２の補助係止片６に係合するので空気調和機本体１がそれ以上落下することはない。この時、据付板２に設けた補助係止片６は、主係止片４よりも低い位置に設けられているので、空気調和機本体１の重量の重い方側に傾いて保持される。
【００３１】
また、空気調和機本体１の係止部に対向する筐体風路側に開口部を設けないことにより、熱交換器の洗浄剤等を吹きかけられても、空気調和機内部より背面への熱交換器の洗浄剤等の侵入を防ぐことを可能にしたものである。
【００３２】
また、補助係止片６の先端をくの字に曲げて抜け防止形状を形成しており、抜け防止部５は補助係止片６の先端が引掛かるように引掛形状部の一例の段差を設けてあるため、配管据付作業時、引掛部３を支点として空気調和機本体１を持ち上げることによる、引掛部３の外れを防ぐことを可能としている。
【００３３】
上述の実施の形態では、据付板２の左右に２個の主係止片４と、中央に１個の抜け防止機能を有する補助係止片６を設けたものを示したが、この発明はこれに限定されない。据付板２の係止片は３個以上あれば何個でもよい。また、抜け防止機能を有する係止片も１個以上あれば何個でもよい。例えば、全ての係止片が抜け防止機能を有するものでもよい。但し、抜け防止機能を有する係止片を用いると、引掛部の天面に開口部を設けることになるので、空気調和機本体１と引掛部との接合強度が低下する。その点では抜け防止機能を有する係止片は少ない方がよい。
【００３４】
引掛部３または抜け防止部５が油汚れの付着等により破損して落下しても、通常は応力がかからない係止片で空気調和機本体１を支えるために、通常は応力がかからない係止片が最低１個は必要である。また、通常は応力がかからない係止片の位置は、いずれかの引掛部３または抜け防止部５が油汚れの付着等により破損して落下した場合に、通常は応力がかからない係止片が空気調和機本体１を支えることができるような位置に設けることが前提となる。
【００３５】
上述の実施の形態では、空気調和機を例として説明したが、この発明はこれに限定されない。空気調和機以外の機器で、部屋の壁面に据え付ける機器で内部の洗浄が必要なものであれば、本発明の据え付け構造は適用可能である。
【００３６】
【発明の効果】
この発明に係る空気調和機は、据付板に複数の係止片を設け、その係止片の中の１個以上は抜け防止機能を有する係止片とし、抜け防止機能を有する係止片と係合する空気調和機本体の引掛部は、本体筐体背面部分に係止片の先端が引掛かる引掛形状部を有すると共に、天面に引掛形状部を形成するために必要な開口部と下面に係止片との係合に必要な開口部とを有し、他の空気調和機本体の引掛部には係止片との係合に必要な開口部以外には開口部を設けないことにより、本体筐体背面に本体内部と連通する開口部がないので、空気調和機内部からの熱交換器の洗浄剤等の漏れを防ぐことができ、壁面の汚れを防ぐ効果がある。また、抜け防止機能を有する係止片と係合する空気調和機本体の引掛部を除いて、天面に開口部が設けられていないので、引掛部の強度が向上する。
【００３７】
また、この発明に係る空気調和機は、抜け防止機能を有する係止片は、先端が本体筐体に設けられた引掛形状部に引掛かるように曲げられているので、配管据付作業時引掛部を支点として空気調和機本体を持ち上げても、抜け防止機能を有する係止片の先端が引掛形状部に引掛かり引掛部の外れを抑制することができる。
【００３８】
また、この発明に係る空気調和機は、抜け防止機能を有する係止片は、先端がくの字に曲げられていることにより、抜け防止機能を有する係止片の先端が引掛形状部に確実に引掛かる。
【００３９】
また、この発明に係る空気調和機は、本体筐体に設けられた引掛形状部が、段差により構成されたことにより、引掛部の天面に開口部を設けるだけで段差を形成することができる。
【００４０】
また、この発明に係る空気調和機は、据付板に３個以上の係止片を設け、その係止片の中の１個は抜け防止機能を有する係止片とし本体筐体の中央部付近に配置し、左右の係止片が空気調和機本体の引掛部と係合し、中央部に配置された抜け防止機能を有する係止片は通常は空気調和機本体の引掛部と係合せずに応力のかからない構成としたことにより、本体筐体背面に本体内部と連通する開口部がないので、空気調和機内部からの熱交換器の洗浄剤等の漏れを防ぐことができ、壁面の汚れを防ぐ効果がある。また、左右の引掛部には天面に開口部が設けられていないので、引掛部の強度が向上する。
【００４１】
また、この発明に係る空気調和機は、左右の何れかの空気調和機本体の引掛部が破損した場合、中央部に配置された通常は空気調和機本体の引掛部と係合しない係止片が空気調和機本体を支え、空気調和機本体は重量が重い側に傾いて保持されることにより、空気調和機本体は重い方に傾いて保持されるため、異常であることが推測し易く、落下前に対策することが可能で、落下を防止する効果がある。
【００４２】
この発明に係る機器の壁面への据え付け構造は、据付板に複数の係止片を設け、その係止片の中の１個以上は抜け防止機能を有する係止片とし、抜け防止機能を有する係止片と係合する機器本体の引掛部は、本体筐体背面部分に係止片の先端が引掛かる引掛形状部を有すると共に、天面に引掛形状部を形成するために必要な開口部と下面に係止片との係合に必要な開口部とを有し、他の機器本体の引掛部には係止片との係合に必要な開口部以外には開口部を設けないことにより、本体筐体背面に本体内部と連通する開口部がないので、機器内部からの熱交換器の洗浄剤等の漏れを防ぐことができ、壁面の汚れを防ぐ効果がある。また、抜け防止機能を有する係止片と係合する機器本体の引掛部を除いて、天面に開口部が設けられていないので、引掛部の強度が向上する。
【００４３】
また、この発明に係る機器の壁面への据え付け構造は、抜け防止機能を有する係止片は、先端が本体筐体に設けられた引掛形状部に引掛かるように曲げられていることにより、据付作業時引掛部を支点として機器本体を持ち上げても、抜け防止機能を有する係止片の先端が引掛形状部に引掛かり引掛部の外れを抑制することができる。
【００４４】
また、この発明に係る機器の壁面への据え付け構造は、抜け防止機能を有する係止片は、先端がくの字に曲げられていることにより、抜け防止機能を有する係止片の先端が引掛形状部に確実に引掛かる。
【００４５】
また、この発明に係る機器の壁面への据え付け構造は、本体筐体に設けられた引掛形状部は、段差により構成されたことにより、引掛部の天面に開口部を設けるだけで段差を形成することができる。
【００４６】
また、この発明に係る機器の壁面への据え付け構造は、据付板に３個以上の係止片を設け、その係止片の中の１個は抜け防止機能を有する係止片とし本体筐体の中央部付近に配置し、左右の係止片が機器本体の引掛部と係合し、中央部に配置された前記抜け防止機能を有する係止片は通常は機器本体の引掛部と係合せずに応力のかからない構成としたことにより、本体筐体背面に本体内部と連通する開口部がないので、機器内部からの熱交換器の洗浄剤等の漏れを防ぐことができ、壁面の汚れを防ぐ効果がある。また、左右の引掛部には天面に開口部が設けられていないので、引掛部の強度が向上する。
【００４７】
また、この発明に係る機器の壁面への据え付け構造は、左右の何れかの機器本体の引掛部が破損した場合、中央部に配置された通常は機器本体の引掛部と係合しない係止片が機器本体を支え、機器本体は重量が重い側に傾いて保持されることにより、機器本体は重い方に傾いて保持されるため、異常であることが推測し易く、落下前に対策することが可能で、落下を防止する効果がある。
【図面の簡単な説明】
【図１】  実施の形態１を示す図で、空気調和機本体の斜視図である。
【図２】  実施の形態１を示す図で、空気調和機本体の据付状態の係止部（両側）の部分断面図である。
【図３】  実施の形態１を示す図で、空気調和機本体の据付状態の係止部（中央）の部分断面図である。
【図４】  実施の形態１を示す図で、本体筐体の上面図（ａ）と正面図（ｂ）である。
【図５】  実施の形態１を示す図で、図１に示す空気調和機本体の両側の係止部が破損した状態を示す説明図である。
【図６】  従来の空気調和機本体の斜視図である。
【図７】  従来の空気調和機本体の据付状態における係止部（両側）の部分断面図である。
【図８】  従来の空気調和機本体の据付状態における係止部（中央）の部分断面図である。
【図９】  従来の空気調和機本体の本体筐体の上面図（ａ）、正面図（ｂ）である。
【符号の説明】
１  空気調和機本体、２  据付板、３  引掛部、４  主係止片、５  抜け防止部、６  補助係止片、１２  段差。
【図１】
0004481536.tif 000002
【図２】
0004481536.tif 000003
【図３】
0004481536.tif 000004
【図４】
0004481536.tif 000005
【図５】
0004481536.tif 000006
【図６】
0004481536.tif 000007
【図７】
0004481536.tif 000008
【図８】
0004481536.tif 000009
【図９】
0004481536.tif 000010